(57)【要約】【課題】ＰＣとデジタルビデオカメラとをＵＳＢ接続し、ホスト側であるＰＣに保存した映像データをターゲット側であるデジタルビデオカメラで再生する。使用者がより使いやすいデジタルビデオカメラから操作を行う場合、デジタルビデオカメラはターゲット側であるためＰＣを制御できない。【解決手段】使用者がビデオカメラを操作すると、その操作内容に従った制御コードをビデオカメラ内に保存する。ＰＣは定期的もしくは不定期にビデオカメラ内に保存された制御コードを取得し、それに従ってＰＣに保存された映像データをビデオカメラに送信する。【選択図】図１
2010232977.tif 000002
【特許請求の範囲】
【請求項１】
ホスト機器とターゲット機器とをＵＳＢ接続した映像再生システムであって、
ターゲット機器は、
ユーザー操作を入力するユーザー操作入力手段と、
前記ユーザー操作入力手段で入力された結果をユーザー操作制御コードに変換するユーザー操作制御コード変換手段と、
前記ユーザー操作制御コード変換手段で生成されたユーザー操作制御コードを保存する制御コード保存手段と、  
前記制御コード保存手段に保存された制御コードに従ってホスト側から出力される映像データを入力する映像データ入力手段と、
前記映像データ入力手段で入力された映像データを復号する映像データ復号手段と、
前記映像データ復号手段で復号された映像データを外部に出力する映像データ外部出力手段とを備え、
ホスト機器は、
映像データを保存する映像データ保存手段と、
ターゲット機器に特定のタイミングで繰り返しアクセスし、前記制御コード保存手段から制御コードを取得する第一の制御コード取得手段と、
前記第一の制御コード取得手段で取得した制御コードに従って、ターゲット機器に前記映像データ保存手段で保存された映像データを出力する映像データ出力手段と
を備えることを特徴とする映像再生システム。
【請求項２】
前記第一の制御コード取得手段におけるターゲットへのアクセスタイミングが、予め規定された一定の時間間隔である事を特徴とする、請求項１に記載の映像再生システム。
【請求項３】
ホスト機器は、
前回ターゲット機器から取得した制御コードに従って、次回のターゲットへのアクセスタイミングを算出するアクセスタイミング算出手段と、
前記アクセスタイミング算出手段で算出されるアクセスタイミングでターゲット機器にアクセスし、前記制御コード保存手段から制御コードを取得して前記アクセスタイミング算出手段と前記映像データ出力手段とに出力する第二の制御コード取得手段と
を備えることを特徴とする、請求項１に記載の映像再生システム。
【発明の詳細な説明】
【技術分野】
【０００１】
本発明は、ＵＳＢ（Ｕｎｉｖｅｒｓａｌ  Ｓｅｒｉａｌ  Ｂｕｓ）で接続されたビデオカメラなどの撮影装置と、撮影装置で撮影された映像を保存したパーソナルコンピューター（以下、ＰＣ）など記録装置との間で再生制御を行う方法に関する。
【背景技術】
【０００２】
ビデオカメラがデジタル化されてから、その映像データをそのままの画質でＰＣに保存できるようになっている。これまでは、ビデオカメラ自体の映像の画質が低く、映像データの符号化方式も、ＤＶ形式やＭＰＥＧ２形式などで、それを復号する際の負荷も低かったため、映像を保存したＰＣの能力がそれほど高くなくても十分に再生することができた。
【０００３】
近年、デジタルビデオカメラが高画質化され、それに伴って符号化方式として、より圧縮率の高いＨ．２６４（ＭＰＥＧ４−ＡＶＣ）が採用されている。符号化方式が変わってもデジタルデータとしてＰＣに保存可能だが、Ｈ．２６４は複合化する際の負荷が高く、保存された映像を通常の速度で再生するには高性能なＰＣが必要となる。高性能なＰＣが無い場合、ＰＣに保存された映像データを直接、もしくは、半導体メモリーカードなどを経由してデジタルビデオカメラに戻して再生する事が考えられる。
【０００４】
この方法の一つとして、映像記録装置からネットワークインターフェースを介して撮像装置へ映像データを出力し再生する方法が提案されている（特許文献１参照）。
【特許文献１】特開２００７−１２４０５８号公報
【発明の開示】
【発明が解決しようとする課題】
【０００５】
特許文献１に記載の映像記録装置、ネットワークインターフェースおよび撮像装置はそれぞれ、ＰＣ、ＵＳＢインターフェースおよびデジタルビデオカメラと見なす事ができる。
【０００６】
ＰＣからデジタルビデオカメラに映像データを出力する際、使用者がＰＣを操作する場合、つまり、ＰＣが制御する側になる場合と、デジタルビデオカメラを操作する場合、つまり、ビデオカメラが制御する側になる場合があるが、ＰＣで操作を行う事に対して抵抗感のある使用者が多いため、デジタルビデオカメラで簡便に操作を行う事が望まれる。
【０００７】
特許文献１では、ＰＣもしくはデジタルビデオカメラの双方が制御する側となった場合を想定した提案がなされているが、ＰＣとデジタルカメラをＵＳＢインターフェースで接続した場合、通常はＰＣが制御を行うホスト側となり、デジタルビデオカメラは制御されるターゲット側となる。つまり、ＵＳＢインターフェース接続の場合、ＵＳＢインターフェースの仕様の制限のため、特許文献１の提案方法でデジタルビデオカメラから制御を行う事はできない。
【課題を解決するための手段】
【０００８】
上記課題を解決するために、本発明による映像再生システムでは、ターゲット機器は、
ユーザー操作を入力するユーザー操作入力手段と、ユーザー操作入力手段で入力された結果をユーザー操作制御コードに変換するユーザー操作制御コード変換手段と、ユーザー操作制御コード変換手段で生成されたユーザー操作制御コードを保存する制御コード保存手段と、制御コード保存手段に保存された制御コードに従ってホスト側から出力される映像データを入力する映像データ入力手段と、映像データ入力手段で入力された映像データを復号する映像データ復号手段と、映像データ復号手段で復号された映像データを外部に出力する映像データ外部出力手段とを備え、ホスト機器は、映像データを保存する映像データ保存手段と、ターゲット機器に特定のタイミングで繰り返しアクセスし、制御コード保存手段から制御コードを取得する第一の制御コード取得手段と、第一の制御コード取得手段で取得した制御コードに従って、ターゲット機器に映像データ保存手段で保存された映像データを出力する映像データ出力手段とを備えることを特徴とする。
【発明の効果】
【０００９】
本発明の第１の映像再生システムによれば、映像記録装置と映像撮影装置がＵＳＢインターフェースで接続されたシステムにおいて、通常はホスト側がターゲット側を制御する事しかできないが、映像記録装置がホスト側、映像撮影装置がターゲット側であっても、使用者がより使い慣れた映像撮影装置を操作して、ターゲット側からホスト側を制御する事で映像記録装置内の映像を映像撮影装置で再生できる。
【００１０】
さらに、本発明の第２の映像再生システムによれば、映像撮影装置からの制御コードを定期的に取得する事で、一定間隔での制御に対する応答が期待できる。
【００１１】
さらに、本発明の第３の映像再生システムによれば、映像撮影装置からの制御コードを取得するタイミングを映像撮影装置から指定できる事で、特定の仕様者の操作に対する応答速度を適切に変更できる。
【発明を実施するための最良の形態】
【００１２】
（実施の形態１）
以下、本発明の映像再生システムの第１の実施形態について図面を参照して説明する。
【００１３】
図１は、本発明の第１の実施の形態におけるブロック構成図である。映像記録装置１１０と映像撮影装置１００とはＵＳＢインターフェースで接続されており、映像記録装置１１０はＵＳＢのホスト機器、そして、映像撮影装置１００はＵＳＢのターゲット機器として機能している。
【００１４】
また、映像記録装置１１０内の映像データ保存手段１１１には予め映像データが保存されている。ここで、映像データ保存手段に保存されている映像データは、前もって映像撮影装置１００で撮影されたものをＵＳＢインターフェースを通して受信したものでも良いし、メモリーカードなどの記憶媒体を使用して得られたものでも良く、さらに、映像撮影装置１００以外の別の装置から得られたものや、映像記録装置１１０自身が生成したものでも良く、映像データ保存手段１１１への映像データの保存経路は問わない。
【００１５】
映像撮影装置１００には、ユーザー入力手段１０１があり、使用者が映像の再生、停止などの操作をする事が可能である。使用者がユーザー入力手段１０１を用いて操作を行うと、そのユーザー操作情報はユーザー操作制御コード変換手段１０２でユーザー操作制御コードに変換され、制御コード保存手段１０３に保存される。ここで、ユーザー操作制御コードは、映像記録装置１１０と映像撮影装置１００との間で共通に定めた制御コードであり、その内容には、例えば、再生すべき映像データの識別子、再生を意味する情報などが含まれる。なお、その他に、停止、早送り／巻き戻し、スキップなどの操作情報や、それらに付随した、映像データ内の位置情報などが含まれていても良い。
【００１６】
映像記録装置１１０では、第一の制御コード取得手段１１２が特定の時間にＵＳＢインターフェース経由で映像撮影装置１００に繰り返しアクセスし、制御コード保存手段１０３内からユーザー操作制御コードの取得を試みる。第一の制御コード取得手段１１２が映像撮影装置１００に対して繰り返しアクセスするタイミングは、映像記録装置１１０が定めた定期的もしくは不定期の時間間隔であっても良いし、映像記録装置１１０と映像撮影装置１００との間で取り決めた定期的な時間間隔でも良い。
【００１７】
ここでユーザー操作制御コードが取得できた場合、その制御コードを映像データ出力手段１１３に出力する。映像データ出力手段１１３は、受信した制御コードの内容から、映像データの特定とその特定された映像データ中のどの位置からデータを出力すべきかの判断を行う。そして、その判断結果に従って、映像データ保存手段１１１から必要な映像データを取り出し、ＵＳＢインターフェース経由で映像撮影装置１００に出力する。
【００１８】
映像撮影装置１００では、ＵＳＢインターフェース経由で映像データ入力手段１０４に映像データが入力されると、その映像データは映像データ復号手段１０５に出力される。映像データは例えば、Ｈ．２６４（ＭＰＥＧ４−ＡＶＣ）形式やＭＰＥＧ２形式などで符号化されているため、映像データ復号手段１０５では入力された映像データをその符号化形式に従って復号化し、映像データ外部出力手段１０６に出力する。映像データ外部出力手段１０６は、映像撮影装置１００と外部接続した、例えばテレビなどの映像表示装置１０７に復号化映像データを出力する。
【００１９】
（実施の形態２）
以下、本発明の電子番組表表示装置及び方法の第２の実施形態について図面を参照して説明する。図２は、本発明の第２の実施の形態におけるブロック構成図である。
【００２０】
第２の実施の形態における映像撮影装置は、第１の実施の形態における映像撮影装置１００と同じ動作を行う。一方、映像記録装置は、第１の実施の形態における映像記録装置１１０と異なり、映像撮影装置から制御コードを取得するためのアクセスタイミングを適応的に変化させる。
【００２１】
第２の実施の形態における映像撮影装置である映像記録装置２１０では、第二の制御コード取得手段２１４が、第１の実施の形態で記述した第一の制御コード取得手段１１２と同様に、ＵＳＢインターフェース経由で映像撮影装置１００に繰り返しアクセスし、制御コード保存手段１０３内から制御コードの取得を試みる。  ここでユーザー操作制御コードが取得できた場合、その制御コードを映像データ出力手段１１３に出力するとともに、アクセスタイミング算出手段２１５にも出力する。
【００２２】
アクセスタイミング算出手段２１５では、入力された制御コードを元に、次回、映像記録装置２１０が映像撮影装置１００にアクセスするタイミングを算出する。その算出方法として、例えば、制御コード内に早送りや巻き戻しを意味する情報が含まれる場合、ユーザーがすぐに次の操作を行う事を想定し、反応を良くするために、繰り返しアクセスする頻度をあげる事が考えられるがこれに限らない。算出されたアクセスタイミングは、アクセスタイミング情報として第二の制御コード取得手段２１４に出力され、第二の制御コード取得手段２１４はこのアクセスタイミング情報に従って、次回以降の映像撮影装置へのアクセスタイミングを変更する。
【００２３】
なお、本発明の第１および第２の実施の形態の説明では、映像記録装置と映像撮影装置とをＵＳＢインターフェースで接続した例をあげたが、映像撮影装置は撮影機能がなく、映像再生装置であっても構わない。
【産業上の利用可能性】
【００２４】
本発明にかかる映像再生システムは、映像記録装置がホスト側として、また、映像記録装置がターゲット側としてＵＳＢインターフェース接続された場合であっても、ＵＳＢインターフェースでは不可能なターゲット側からホスト側を制御する事が可能であり、使用者がより使い慣れた映像撮影装置からの操作で映像記録装置に保存された映像を簡便に再生する事ができるため有用である。
【図面の簡単な説明】
【００２５】
【図１】本発明の第１の実施の形態における映像再生システムの構成例を示すブロック図
【図２】本発明の第２の実施の形態における映像再生システムの構成例を示すブロック図
【符号の説明】
【００２６】
１００    映像撮影装置
１０１    ユーザー操作入力手段
１０２    ユーザー操作制御コード変換手段
１０３    制御コード保存手段
１０４    映像データ入力手段
１０５    映像データ復号手段
１０６    映像データ外部出力手段
１０７    映像表示装置
１１０    映像記録装置
１１１    映像データ保存手段
１１２    第一の制御コード取得手段
１１３    映像データ出力手段
２１０    映像記録装置
２１４    第二の制御コード取得手段
２１５    アクセスタイミング算出手段
【図１】
2010232977.tif 000003
【図２】
2010232977.tif 000004